(57)【要約】【課題】容器内に空気を巻き込まずに簡便に液体試料を満たすことができ、しかも、軽量で、且つ、低コストな液体採取器具を提供する。【解決手段】開口を有する有底筒状の容器２と、容器２の口部２ａを着脱可能な環状フレーム３ａを有する本体フレーム３と、環状フレーム３ａを吊り下げる紐状体７とを備える。環状フレーム３ａには、環状の浮輪４が取り付けられる。本体フレーム３における環状フレーム３ａの径方向両側には、第１錘５及び第２錘６がそれぞれ離間して取り付けられる。第１錘５及び第２錘６は、浮輪４よりも容器２の底面側に重心が位置する。第１錘５は、容器２及び第２錘６よりも重く設定される。【選択図】図５
2018179512.tif 000002
【特許請求の範囲】
【請求項１】
開口を有する有底筒状の容器と、
該容器の開口周縁に対応する環状部を有し、上記容器の開口周縁を上記環状部に着脱可能な本体フレームと、
上記環状部を吊り下げる紐状体と、
上記環状部に沿うように取り付けられた環状の浮輪と、
上記本体フレームにおける環状部の径方向両側にそれぞれ離間して取り付けられ、上記浮輪よりも上記容器の底面側に重心が位置する第１及び第２錘とを備え、
上記第１錘は、上記容器及び上記第２錘よりも重く設定されていることを特徴とする液体採取器具。
【請求項２】
請求項１に記載の液体採取器具において、
上記第２錘の重心は、上記第１錘の重心よりも上記容器の底面側に位置するよう設定されていることを特徴とする液体採取器具。
【請求項３】
請求項１又は２に記載の液体採取器具において、
上記第１及び第２錘は、各々が上記本体フレームに対する取付位置を上記容器の筒中心線方向に変更可能に構成されていることを特徴とする液体採取器具。
【発明の詳細な説明】
【技術分野】
【０００１】
本発明は、例えば、水質検査のために湖や河川等の水の採取をする際に使用する液体採取器具に関する。
【背景技術】
【０００２】
従来より、液体の検査のために実施する液体試料の採取は、簡便な方法で採取可能であることが好まれる。例えば、特許文献１の液体採取器具は、開口を有する有底筒状の容器と、該容器の開口周縁に着脱可能な環状のキャップと、該キャップを吊り下げる紐状体とを備え、検査対象の液体が貯溜する貯溜部に容器を浸して容器内に液体試料を満たした後、紐状体を引き上げることにより液体試料を採取するようになっている。
【０００３】
上述の如き液体採取器具を用いて液体試料を採取する際、異物の混入を防ぐ必要がある。したがって、例えば、作業者が液体採取器具を直接把持して作業を行う場合には、作業者は紐状体を把持して作業を行う必要があり、作業者が液体採取器具を直接把持して作業を行わない場合には、遠隔操作可能な飛行体等に紐状体を介して容器を吊り下げて作業を行うといった必要がある。
【先行技術文献】
【特許文献】
【０００４】
【特許文献１】実用新案登録第３１０４８３１号
【発明の概要】
【発明が解決しようとする課題】
【０００５】
ところで、液体採取器具の容器には、空気を巻き込まずに液体試料を満たすのが好ましい。
【０００６】
しかし、特許文献１の液体採取器具では、容器がキャップを介して紐状体に吊り下げられているだけなので、作業者や飛行体が紐状体を操作して容器を所望する姿勢にするのは困難である。したがって、検査対象の液体が貯溜する貯溜部に液体採取器具を投入すると、容器が成り行き任せの姿勢で液体試料を採取するようになり、容器内に多くの空気を巻き込んだ状態で液体試料を採取してしまうおそれがある。
【０００７】
これを回避するために、容器の姿勢を遠隔操作できる制御機構を液体採取器具に取り付けることも考えられるが、費用が嵩むうえに重量が増加してしまうという問題がある。
【０００８】
本発明は、斯かる点に鑑みてなされたものであり、その目的とするところは、容器内に空気を巻き込まずに簡便に液体試料を満たすことができ、しかも、軽量で、且つ、低コストな液体採取器具を提供することにある。
【課題を解決するための手段】
【０００９】
上記の目的を達成するために、本発明は、液体採取器具における容器の開口部分周縁に２種類の錘を設けたことを特徴とする。
【００１０】
すなわち、第１の発明では、開口を有する有底筒状の容器と、該容器の開口周縁に対応する環状部を有し、上記容器の開口周縁を上記環状部に着脱可能な本体フレームと、上記環状部を吊り下げる紐状体と、上記環状部に沿うように取り付けられた環状の浮輪と、上記本体フレームにおける環状部の径方向両側にそれぞれ離間して取り付けられ、上記浮輪よりも上記容器の底面側に重心が位置する第１及び第２錘とを備え、上記第１錘は、上記容器及び上記第２錘よりも重く設定されていることを特徴とする。
【００１１】
第２の発明では、第１の発明において、上記第２錘の重心は、上記第１錘の重心よりも上記容器の底面側に位置するよう設定されていることを特徴とする。
【００１２】
第３の発明では、第１又は第２の発明において、上記第１及び第２錘は、各々が上記本体フレームに対する取付位置を上記容器の筒中心線方向に変更可能に構成されていることを特徴とする。
【発明の効果】
【００１３】
第１の発明では、作業者が紐状体を把持したり、或いは、紐状体を飛行体に取り付けた状態で検査対象の液体が溜まる貯溜部に器具を投入すると、第１錘が容器及び第２錘よりも重いので、第１錘が容器の下側になった状態で容器が液体の貯溜部に浮く。このとき、容器の開口部分には浮輪が位置する一方、第１錘の重心が浮輪よりも容器の底面側に位置しているので、容器の開口が斜め上方に向くように傾いた姿勢で容器が次第に沈んでいく。容器が次第に沈むことで容器の開口周縁の下端部分が貯溜部の液面に到達すると、容器内に貯溜部の液体が流れ込み始めるので、容器内に貯溜部の液体が容器の底面側から次第に満たされていく。すると、容器の底面側が次第に重くなっていくので、第１及び第２錘で容器のバランスを取りながら容器が次第に直立する姿勢になっていき、容器の開口部分が上向いた状態になると、容器内に空気が巻き込まれていない状態で液体試料が満たされる。このように、液体試料を採取する際、採取する検査対象の液体が溜まる貯溜部に器具を投入するだけで良く、容器内に液体を採取するために作業者が紐状体を操作して容器の姿勢を変更したり、或いは、紐状体が取り付けられた飛行体を操作して容器の姿勢を変更したりするといった必要が無く、液体の採取作業が簡便である。また、容器を傾けた姿勢から直立する姿勢に変更させながら水を容器内に流入させているので、容器内に空気を巻き込まずに液体試料を満たすことができる。さらに、容器の姿勢を遠隔操作する制御機構を液体採取器具に設けるといった必要がないので、費用が嵩むことがなく、しかも器具の重量も軽くなり、作業時において作業者や飛行体に負荷を掛かり難くすることができる。
【００１４】
第２の発明では、容器内に貯溜部の流体が流れ込み始めて容器の姿勢が次第に変わる際、第１及び第２錘の重量バランスによって容器が貯溜部内で直立する姿勢となる方向に回動し易くなる。したがって、液体の採取作業時における容器の姿勢変更動作がスムーズになり、容器内に液体を効率良く流し込むことができる。
【００１５】
第３の発明では、第１錘と第２錘との間の重量バランスを任意に変更できるようになるので、例えば、採取する液体試料の種類や量が変わって容器を種類の異なるものに交換した際、その交換した容器に対して第１錘及び第２錘が最適な重量バランスとなるように簡単に調整することができる。
【図面の簡単な説明】
【００１６】
【図１】本発明の実施形態に係る液体採取器具の斜視図である。
【図２】本発明の実施形態に係る液体採取器具の分解斜視図である。
【図３】図１のIII−III線における断面図であり、液体試料を採取する直前の状態を示す図である。
【図４】図３の後、検査する液体の貯溜部に器具を投入した直後の状態を示す図である。
【図５】図４の後、器具の容器内に液体が入り込み始めた直後の状態を示す図である。
【図６】図５の後、器具の容器内に液体が溜まっている途中の状態を示す図である。
【図７】図６の後、器具の容器内に液体が満たされた状態を示す図である。
【発明を実施するための形態】
【００１７】
以下、本発明の実施形態を図面に基づいて詳細に説明する。尚、以下の好ましい実施形態の説明は、本質的に例示に過ぎない。
【００１８】
図１は、本発明の実施形態に係る液体採取器具１を示す。該液体採取器具１は、水質検査のために湖や河川等の水の試料を採取する際に使用するものであり、検査する水を満たす樹脂製の容器２と、液体採取器具１の骨格をなす金属製の本体フレーム３とを備えている。
【００１９】
容器２は、図２に示すように、開口を有する短い筒状をなす口部２ａと、該口部２ａに連続して形成され、当該口部２ａから離れるにつれて次第に拡径する肩部２ｂと、該肩部２ｂに連続して形成された有底円筒状をなす胴部２ｃとを備え、上記口部２ａの外周面には、雄ネジ部２ｄが形成されている。
【００２０】
本体フレーム３は、図２及び図３に示すように、短い筒状の環状フレーム３ａ（環状部）と、該環状フレーム３ａにおける一方の開口周縁の径方向両側に設けられ、当該環状フレーム３ａの中心線を挟んで互いに離間する方向に延びる一対の棒状延長フレーム３ｂと、該各延長フレーム３ｂの延出端に設けられ、上記環状フレーム３ａの中心線に沿って延びる略長方形板状の一対の支持フレーム３ｃとを備え、該支持フレーム３ｃには、複数の取付用孔３ｄが貫通形成されている。
【００２１】
環状フレーム３ａは、上記容器２の口部２ａに対応する環状をなし、その内面には、上記口部２ａの雄ネジ部２ｄが螺合可能な雌ネジ部３ｅが形成されている。
【００２２】
すなわち、環状フレーム３ａには、容器２の口部２ａが着脱可能になっている。
【００２３】
上記環状フレーム３ａには、当該環状フレーム３ａに沿うように環状の浮輪４が外嵌合しており、該浮輪４は、多孔質のウレタン材からなっている。
【００２４】
上記一方の支持フレーム３ｃには、環状フレーム３ａに取り付けられた容器２側に上記環状フレーム３ａの中心線に沿って延びる長方形板状の金属製第１錘５が取り付けられ、第１錘５は容器２における胴部２ｃの外周面に接近した位置となっている。
【００２５】
該第１錘５には、複数の第１貫通孔５ａが形成され、図示しないネジを用いて第１貫通孔５ａと一方の支持フレーム３ｃの取付用孔３ｄとを共締めすることにより、第１錘５が一方の支持フレーム３ｃに取り付けられるようになっている。
【００２６】
また、第１錘５は、各第１貫通孔５ａ及び各取付用孔３ｄの共締めの位置を変えることにより、本体フレーム３に対する取付位置を当該本体フレーム３に取り付けられた容器２の筒中心線方向に変更可能となっている。
【００２７】
また、上記第１錘５は、上記容器２及び後述する第２錘６よりも重く設定され、その重心は、上記浮輪４よりも容器２の底面側の位置となっている。
【００２８】
上記他方の支持フレーム３ｃには、環状フレーム３ａに取り付けられた容器２側に上記環状フレーム３ａの中心線に沿って延びる長方形板状の金属製第２錘６が取り付けられ、第２錘６は容器２における胴部２ｃの外周面に接近した位置となっている。
【００２９】
上記第２錘６の板厚は、上記第１錘５の板厚よりも薄く設定され、第２錘６の長手方向の寸法は、上記第１錘５の長手方向の寸法よりも長く設定されている。
【００３０】
上記第２錘６には、複数の第２貫通孔６ａが形成され、図示しないネジを用いて第２貫通孔６ａと他方の支持フレーム３ｃの取付用孔３ｄとを共締めすることにより、第２錘６が他方の支持フレーム３ｃに取り付けられるようになっている。
【００３１】
また、第２錘６は、各第２貫通孔６ａ及び各取付用孔３ｄの共締めの位置を変えることにより、本体フレーム３に対する取付位置を当該本体フレーム３に取り付けられた容器２の筒中心線方向に変更可能となっている。
【００３２】
さらに、上記第２錘６は、上記容器２よりも重く設定され、その重心は、上記浮輪４及び第１錘５よりも容器２の底面側の位置となっている。
【００３３】
上記環状フレーム３ａには、液体採取器具１を吊り下げるための紐状体７が取り付けられている。
【００３４】
該紐状体７は、ナイロン等の合成繊維からなり、図１及び図２に示すように、液体採取器具１を空中において吊り下げる際、容器２が直立な姿勢となるように各端部が第１錘５側に偏った位置に固定されている。
【００３５】
次に、液体採取器具１を用いて水面から水を採取する作業について詳述する。
【００３６】
まず始めに、採取する水の量に応じた容器２を用意し、本体フレーム３に取り付ける。
【００３７】
次いで、図１に示すように、飛行体（例えば、ドローン）の取付部８に上記液体採取器具１の紐状体７を取り付けるとともに、図３に示すように、飛行体を操作して液体採取器具１を空中に浮かす。このとき、紐状体７の各端部が環状フレーム３ａにおける第１錘５側に偏った位置に固定されているので、容器２が直立する姿勢になる。
【００３８】
しかる後、飛行体を下降させて液体採取器具１を水面に投入する。すると、第１錘５が容器２及び第２錘６よりも重いので、図４に示すように、第１錘５が容器２の下側になった状態で容器２が水面に浮く。このとき、容器２の口部２ａには浮輪４が位置する一方、第１錘５の重心が浮輪４よりも容器２の底面側に位置しているので、容器２の開口が斜め上方に向くように傾いた姿勢で容器２が次第に沈んでいく。
【００３９】
図５に示すように、容器２が次第に沈むことで容器２の開口周縁の下端部分が水面に到達すると、容器２内に水が流れ込み始めるので（図５の矢印Ｘ１）、容器２内に水が容器２の底面側から次第に満たされていく。すると、図６に示すように、容器２内に流れ込む水の量が次第に多くなって水が容器２に溜まっていき（図６の矢印Ｘ２）、容器２の底面側が次第に重くなっていくので、第１錘５及び第２錘６で容器２のバランスを取りながら容器２が次第に直立する姿勢になっていく。そして、図７に示すように、容器２の開口部分が上向いた状態なると、容器２内に空気が巻き込まれていない状態で水が満たされる。
【００４０】
このように、水面から水を採取する際、水面に液体採取器具１を投入するだけで良く、容器２内に水を採取するために飛行体を操作して容器２の姿勢を変更するといった必要が無く、水の採取作業が簡便である。
【００４１】
また、容器２を傾けた姿勢から直立する姿勢に変更させながら水を容器２内に流入させているので、容器２内に空気を巻き込まずに水を満たすことができる。
【００４２】
さらに、容器２の姿勢を遠隔する制御機構を液体採取器具１に設けるといった必要がないので、費用が嵩むことがなく、しかも液体採取器具１の重量も軽くなり、作業時において飛行体に負荷を掛かり難くすることができる。
【００４３】
また、第２錘６の重心が第１錘５の重心よりも容器２の底面側に位置するよう設定されているので、容器２内に水が流れ込み始めて容器２の姿勢が次第に変わる際、第１錘５及び第２錘６の重量バランスによって容器２が水中で直立する姿勢となる方向（図６の矢印Ｙ１）に回動し易くなる。したがって、水の採取作業時における容器２の姿勢変更動作がスムーズになり、容器２内に水を効率良く流し込むことができる。
【００４４】
さらに、第１錘５及び第２錘６は、各々が本体フレーム３に対する取付位置を容器２の筒中心線方向に変更可能に構成されているので、第１錘５と第２錘６との間の重量バランスを任意に変更できるようになる。したがって、例えば、採取する液体試料の種類や量が変わって容器２を種類の異なるものに交換した際、その交換した容器２に対して第１錘５及び第２錘６が最適な重量バランスとなるように簡単に調整することができる。
【００４５】
尚、本発明の実施形態では、液体採取器具１を飛行体に取り付けて水面の水の採取作業を行っているが、作業者が液体採取器具１の紐状体７を把持して水面の水の採取作業を行うこともできる。
【００４６】
また、本発明の実施形態では、液体採取器具１を用いて水面の水の採取作業を行っているが、本発明の液体採取器具１は、例えば、湖、河川及び海等の水の採取作業を行うことができる。また、検査対象の液体が製造過程における液体食品等であっても本発明の液体採取器具１を試料の採取作業に用いることができる。
【００４７】
また、本発明の実施形態では、本体フレーム３、第１錘５及び第２錘６を金属材で形成しているが、樹脂材等で形成してもよい。
【産業上の利用可能性】
【００４８】
本発明は、例えば、水質検査のために湖や河川等の水の採取をする際に使用する液体採取器具に適している。
【符号の説明】
【００４９】
１        液体採取器具
２        容器
３        本体フレーム
３ａ        環状フレーム（環状部）
４        浮輪
５        第１錘
６        第２錘
７        紐状体
【図１】
2018179512.tif 000003
【図２】
2018179512.tif 000004
【図３】
2018179512.tif 000005
【図４】
2018179512.tif 000006
【図５】
2018179512.tif 000007
【図６】
2018179512.tif 000008
【図７】
2018179512.tif 000009